(57)【要約】【課題】取り扱いの容易化を図る。【解決手段】遊技機固定装置１が、取付具２、刺し具３、解除部材４、弾性体５、軸６、固定具７から組み立てられた場合、弾性体５が上下方向に伸びきった状態で弾性体受部２３に接触して刺し具３を持ち上げており、持ち上げられた刺し具３の尖端部が突起１６より外側に突出しないように構成され、弾性体５で持ち上げられた刺し具３の具胴体２１が具係留部２７に挿入され、解除部材４が具胴体２１と無関係に軸６を中心として取付基盤１１から上方に離れる方向に回転可能になっているので、運搬中において、解除部材４が軸６を中心として取付基盤１１から上方に離れる方向に回転した場合でも、係合片部２５が具胴体２１に対して移動するだけで、刺し具３が弾性体５で持ち上げられたままである。【選択図】図１
2007007183.tif 000002
【特許請求の範囲】
【請求項１】
取付具、刺し具、弾性体、軸、解除部材を備え、取付具は遊技機枠に固定されるための取付基盤に収容部と相対峙する一対の支持部を備え、刺し具は直線的な棒状の具胴体に尖端部と弾性体受部および具頭部を一端から上端の方向に順に備え、弾性体は取付基盤の収容部に格納されるとともに刺し具の具胴体を挿入し得る筒状に構成され、解除部材は具係留部の設けられた係合片部と操作片部とがゼロ度を含まない１８０度未満の角度となるように屈曲部で２つ折りされた屈曲した形状に構成され、弾性体が取付具の収容部に格納され、刺し具の尖端部が弾性体の内部空間に挿入され、刺し具の弾性体受部および具頭部が取付具の取付基盤よりも一対の支持部の側に突出し、刺し具の弾性体受部が弾性体で受け止められて、刺し具の尖端部が取付具の収容部よりも外側に突出しないように弾性下で支持され、解除部材の具係留部が刺し具の弾性体受部と具頭部との間における具胴体に嵌め込まれ、解除部材の屈曲部が取付具における一対の支持部の間に配置されて軸で回転可能に一対の支持部に支持されて、係合片部と操作片部との一方が取付具の取付基盤に接触するように回転した場合は他方が取付基盤から離れる形態となって解除部材が取付具および刺し具に連結されたことを特徴とする遊技機固定装置。
【請求項２】
遊技機枠が上横片、下横片、左縦片、右縦片から構成され、請求項１に記載した取付具が遊技機枠の上横片、下横片、左縦片、右縦片で囲まれた内側から上横片および下横片に取り付けられ、遊技機枠が遊技機設置構造体の上横木と下横木の間の空間に挿入された後、上横片または下横片における遊技機固定装置の刺し具の具頭部がハンマのような工具で上横片または下横片の側に叩かれることによって、刺し具の具頭部が解除部材の係合片部を取付具の取付基盤の側に移動し、刺し具の弾性体受部が弾性体を圧縮しつつ、刺し具の尖端部が取付具の収容部から上横片および下横片より外側に突出して遊技機設置構造体の上横木と下横木とに打ち込まれたことを特徴とする遊技機固定装置。
【請求項３】
刺し具の尖端部が取付具の収容部から上横片および下横片より外側に突出した状態において、ロック部材が解除部材の操作片部と取付基盤の間を経由して支持部に取り付けられたことを特徴とする請求項２記載の遊技機固定装置。
【発明の詳細な説明】
【技術分野】
【０００１】
本発明は、取り扱いが容易な遊技機固定装置に関する。
【背景技術】
【０００２】
遊技機を遊技店の遊技機設置構造体に取り付けるための遊技機固定装置は、遊技機枠のうちの上横片と下横片と左縦片および右縦片からなる固定枠を、遊技機設置構造体に固定するものである。遊技機固定装置には、取付具、刺し具、操作部材から構成されたものが知られている。具体的には、取付具が固定枠の上横片の上面または下横片の上面に木ねじまたは止ねじまたはねじ釘などのねじ部材で個別に取り付けられた状態において、作業者が操作部材を１８０度の回転運動範囲における左側から右側または右側から左側に１８０度回転操作するのに伴い、刺し具が操作部材のてこの原理で取付具から固定枠の上横片または下横片を経由して遊技機設置構造体の上横木または下横木に差し込まれる構造である。しかしながら、遊技機固定装置が固定枠に取り付けられた後または固定枠に取り付けられる前の時点における運搬中において、操作部材が１８０度回転した場合、刺し具の尖端部が上横片または下横片から外側に突出したり取付具から外側に突出したりするという欠点がある。
【特許文献１】特開２００４−２０８８２６号公報
【発明の開示】
【発明が解決しようとする課題】
【０００３】
発明が解決しようとする問題点は、刺し具の尖端部が意図しないときに突出するという点である。
【課題を解決するための手段】
【０００４】
本発明に係る遊技機固定装置は、取付具、刺し具、弾性体、軸、解除部材を備え、取付具は遊技機枠に固定されるための取付基盤に収容部と相対峙する一対の支持部を備え、刺し具は直線的な棒状の具胴体に尖端部と弾性体受部および具頭部を一端から上端の方向に順に備え、弾性体は取付基盤の収容部に格納されるとともに刺し具の具胴体を挿入し得る筒状に構成され、解除部材は具係留部の設けられた係合片部と操作片部とがゼロ度を含まない１８０度未満の角度となるように屈曲部で２つ折りされた屈曲した形状に構成され、弾性体が取付具の収容部に格納され、刺し具の尖端部が弾性体の内部空間に挿入され、刺し具の弾性体受部および具頭部が取付具の取付基盤よりも一対の支持部の側に突出し、刺し具の弾性体受部が弾性体で受け止められて、刺し具の尖端部が取付具の収容部よりも外側に突出しないように弾性下で支持され、解除部材の具係留部が刺し具の弾性体受部と具頭部との間における具胴体に嵌め込まれ、解除部材の屈曲部が取付具における一対の支持部の間に配置されて軸で回転可能に一対の支持部に支持されて、係合片部と操作片部との一方が取付具の取付基盤に接触するように回転した場合は他方が取付基盤から離れる形態となって解除部材が取付具および刺し具に連結されるか、または、遊技機枠が上横片、下横片、左縦片、右縦片から構成され、上記取付具が遊技機枠の上横片、下横片、左縦片、右縦片で囲まれた内側から上横片および下横片に取り付けられ、遊技機枠が遊技機設置構造体の上横木と下横木の間の空間に挿入された後、上横片または下横片における遊技機固定装置の刺し具の具頭部がハンマのような工具で上横片または下横片の側に叩かれることによって、刺し具の具頭部が解除部材の係合片部を取付具の取付基盤の側に移動し、刺し具の弾性体受部が弾性体を圧縮しつつ、刺し具の尖端部が取付具の収容部から上横片および下横片より外側に突出して遊技機設置構造体の上横木と下横木とに打ち込まれたことを最も主要な特徴とする。刺し具の尖端部が取付具の収容部から上横片および下横片より外側に突出した状態において、ロック部材が解除部材の操作片部と取付基盤の間を経由して支持部に取り付けられてもよい。
【発明の効果】
【０００５】
本発明に係る遊技機固定装置は、弾性体が刺し具を弾性的に持ち上げており、持ち上げられた刺し具の尖端部が収容部より外側に突出しないので、人が遊技機固定装置に触れても刺し具の尖端部に触れることがないという利点がある。また、弾性体で持ち上げられた刺し具の弾性体受部と具頭部との間における具胴体が具係留部に挿入され、解除部材が具胴体と無関係に軸を中心として取付基盤から上方に離れる方向に回転可能になっているので、運搬中において、解除部材が軸を中心として取付基盤から離れる方向に回転しても、係合片部が具胴体に対して移動するだけで、刺し具が弾性体で持ち上げられたままであるという利点がある。取付具が遊技機枠の上横片、下横片、左縦片、右縦片で囲まれた内側から上横片および下横片に取り付けられ、遊技機枠が遊技機設置構造体の上横木と下横木の間の空間に挿入された後、上横片または下横片における遊技機固定装置の刺し具の具頭部がハンマのような工具で上横片または下横片の側に叩かれることによって、刺し具の具頭部が解除部材の係合片部を取付具の取付基盤の側に移動し、刺し具の弾性体受部が弾性体を圧縮しつつ、刺し具の尖端部が取付具の収容部から上横片および下横片より外側に突出して遊技機設置構造体の上横木と下横木とに打ち込まれたので、遊技機枠が遊技機固定装置に遊技機固定装置で容易に固定できるという利点がある。刺し具の尖端部が取付具の収容部から上横片および下横片より外側に突出した状態において、ロック部材が解除部材の操作片部と取付基盤の間を経由して支持部に取り付けられれば、刺し具の尖端部と上横木または下横木との結合が確保できるという利点がある。
【発明を実施するための最良の形態】
【０００６】
図１乃至図５は、発明を実施するための最良の形態である。図１のａ図は、遊技機固定装置１を分解して示す。図１のｂ図は、組み立てられた遊技機固定装置１を示す。図１のｃ図は、図１のｂ図をＢ−Ｂ線に沿い切断した断面を示す。図２は、遊技機枠４１を示す。図３は、遊技機固定装置１の取り付けられた固定枠４２の裏面を示す。図４のａ図は、遊技機固定装置１が上横片６１に取り付けられた内部の縦方向に切断した断面を示す。図４のｂ図は、遊技機固定装置１が下横片６２に取り付けられた内部の縦方向に切断した断面を示す。図５のａ図は、固定枠４２を遊技機設置構造体７３の下横木７４および上横木７５との間に挿入した形態の正面を示す。図５のａ図では、図３の幕板６５の図示を省略してある。図５のｂ図は、遊技機固定装置１の刺し具３が下横木７４および上横木７５に打ち込まれる前の時点における内部の縦方向に切断した断面を示す。図５のｃ図は、遊技機固定装置１の刺し具３が下横木７４および上横木７５に打ち込まれた後の時点における内部の縦方向に切断した断面を示す。本明細書において、「前」、「後」、「裏」、「左」、「右」、「上」、「下」の方向は、図２の状態に遊技機枠４１を置いて矢印Ｓで示す前側から見た場合に特定される方向である。「後」と「裏」とは同じ方向である。
【０００７】
図１を参照し、遊技機固定装置１の構造について説明する。図１のａ図に示すように、遊技機固定装置１は、取付具２、刺し具３、解除部材４、弾性体５、軸６、固定具７を備える。取付具２は、板状の取付基盤１１に、ねじ挿入孔１２、収容部１３、支持部１４、軸受孔１５を備える。ねじ挿入孔１２は、取付具２を遊技機枠４１に取り付けるための取付孔を構成するものであって、取付基盤１１の上面および上面への貫通孔として、取付基盤１１の両端部に形成される。
【０００８】
収容部１３は、ねじ挿入孔１２よりも内側に位置し、取付基盤１１の一端部に設けられ、突起１６、格納室１７、具挿入孔１８を備える。突起１６は、取付基盤１１の下面から下方に突出する。格納室１７は、取付基盤１１の上面と突起１６の内部とにわたり寸胴の有底孔として形成される。具挿入孔１８は、格納室１７の底部を構成する突起１６の下部に格納室１７と突起１６の下部とへの貫通孔として形成される。具挿入孔１８の上下方向と直交する横方向の直径は、格納室１７の上下方向と直交する横方向の直径よりも小さい。よって、弾性体５が、取付基盤１１の上方から格納室１７に挿入された場合、格納室１７に格納され、具挿入孔１８から下方に脱落しない。支持部１４は、ねじ挿入孔１２の設けられた取付基盤１１の両端部の方向と直交する方向の一対の側縁部から上方に突出する。相対峙する一対の支持部１４には、軸受孔１５が上記取付基盤１１の直交する方向への貫通孔として個別に同軸状に設けられる。支持部１４と突起１６とは、互いに逆方向に突出している。
【０００９】
刺し具３は、直線的な棒状の具胴体２１を備え、具胴体２１の下端が尖端部として形成され、具胴体２１の上端には具頭部２２が具胴体２１よりも横方向の外形の大きな形状に設けられ、具胴体２１の上下方向の中間部には弾性体受部２３が具胴体２１から外側に突出する環状に設けられる。具頭部２２における横方向の外形、弾性体受部２３の具胴体２１から外側に突出する横方向の外形は、解除部材４における具係留部２７が軸受孔２９の中心線の延びる方向と平行な方向の幅よりも大きい。つまり、具胴体２１の具頭部２２と弾性体受部２３との間における部分が解除部材４の具係留部２７に嵌め込まれたまま、刺し具３を具胴体２１の中心線の延びる方向と平行な方向の上下方向に移動した場合、具頭部２２が具係留部２７の周りにおける係合片部２５の上面に衝突するように係合し、弾性体受部２３が具係留部２７の周りにおける係合片部２５の上面に衝突するように係合する。
【００１０】
解除部材４は、一端側の係合片部２５から他端側の操作片部２６が上方に傾斜するように、係合片部２５の上面と操作片部２６の上面との挟角θがゼロ度を含まない１８０度未満の角度となるように、係合片部２５と操作片部２６とが互いに交差するように、２つ折りされた屈曲した形状である。解除部材４の係合片部２５には、具係留部２７が、係合片部２５の端面と上面および上面に開口し、係合片部２５の端面から内部に窪む、溝として形成される。解除部材４における係合片部２５と操作片部２６とが交差する屈曲部２８には、軸受孔２９が、係合片部２５と操作片部２６との繋がる方向と直交する方向の一対の側面への貫通孔として形成される。弾性体５は、刺し具３の尖端部と弾性体受部２３との間における具胴体２１を挿入し得る内径と、格納室１７に挿入し得る外径とを有する、コイルスプリングにより形成される。軸受孔２９から係合片部２５の端部までの寸法である係合片部２５の長さＬ１は、軸受孔２９から操作片部２６の端部までの寸法である操作片部２６の長さＬ２よりも短い（Ｌ１＜Ｌ２）。
【００１１】
軸６は、軸受孔１５；２９に回転可能に挿入し得る外径を有する直線的な棒状の軸胴体３１を備え、軸胴体３１の一端部には止受溝３２が軸胴体３１の外周面から内部に窪みかつ軸胴体３１の外周面の全周にわたって形成され、軸胴体３１の他端部には軸頭部３３が軸胴体３１よりも横方向の外形の大きな形状に設けられる。軸頭部３３における横方向の外形は、軸受孔１５の直径よりも大きい。固定具７は、止輪により構成され、軸６の軸胴体３１が軸受孔１５；２９にわたって挿入された状態において、止受溝３２に嵌め込まれることによって、軸６を取付具２および解除部材４に支持する。固定具７が止受溝３２に嵌め込まれた場合、固定具７の軸胴体３１よりも外側に突出する横方向の外形は、軸受孔１５の直径よりも大きい。
【００１２】
遊技機固定装置１の組立方について説明する。弾性体５が取付具２の上方から格納室１７に挿入された後、刺し具３の尖端部が取付具２の上方から弾性体５の内部を経由して具挿入孔１８に挿入されるか、または、刺し具３の尖端部が弾性体５の内部に挿入されたまま、刺し具３の尖端部および弾性体５が取付具２の上方から格納室１７に挿入され、刺し具３の尖端部が具挿入孔１８に挿入されることによって、弾性体５の下端が格納室１７の底部に接触し、弾性体５の上端が弾性体受部２３の上面を受け止めることによって、刺し具３の尖端部が具挿入孔１８に挿入されたまま突起１６の上面よりも下方に突出しないように、弾性体５が刺し具３を支持する。
【００１３】
次に、解除部材４の屈曲部２８が一対の支持部１４の間に挿入され、解除部材４の具係留部２７が取付基盤１１の上面から上方に突出した具胴体２１に具胴体２１の横方向外側から挿入され、軸６の一端部が一対の支持部１４の一方の軸受孔１５から解除部材４の軸受孔２９を経由して一対の支持部１４の他方の軸受孔１５に挿入され、固定具７が他方の支持部１４よりも外側に突出した止受溝３２に装着され、軸６の軸頭部３３が一方の支持部１４の外側に配置されることによって、軸６が取付具２および解除部材４に脱落しないように取り付けられ、解除部材４が取付具２に軸６で回転可能に取り付けられる。このように取付具２、刺し具３、解除部材４、弾性体５、軸６、固定具７などの部材が組み合わせられることによって、遊技機固定装置１が図１のｂ図およびｃ図に示すように構成される。
【００１４】
図１のｃ図に示すように、遊技機固定装置１が、取付具２、刺し具３、解除部材４、弾性体５、軸６、固定具７（図１のｂ図参照）から組み立てられた場合、弾性体５が上下方向に伸びきった状態で弾性体受部２３に接触して刺し具３を持ち上げており、持ち上げられた刺し具３の尖端部が突起１６より外側に突出しないように構成されているので、人が遊技機固定装置１に触れても刺し具３の尖端部に触れることがないという利点がある。また、持ち上げられた刺し具３の具胴体２１が溝状の具係留部２７に挿入され、解除部材４が具胴体２１と無関係に軸６を中心として取付基盤１１から上方に離れる方向に回転可能になっているので、運搬中において、解除部材４が軸６を中心として取付基盤１１から上方に離れる方向に回転した場合でも、係合片部２５が具胴体２１に対して移動するだけで、刺し具３が弾性体５で持ち上げられたままであるという利点がある。そして、解除部材４の軸６を境とする係合片部２５の重量が軸６を境とする操作片部２６の重量よりも軽量に構成されているので、解除部材４が上となるように、遊技機固定装置１が置かれた場合、解除部材４の操作片部２６の下面が軸６を中心として下方に回転して取付基盤１１の上面に接触した形態となるという利点がある。
【００１５】
図２を参照し、パチンコ遊技機の遊技機枠４１を例として、遊技機枠４１の構造について説明する。遊技機枠４１は、固定枠４２の前側に可動枠４３を開閉可能に備え、可動枠４３の前側に前扉４４および皿構造体４５を開閉可能に備える。固定枠４２は、遊技店の島と呼ばれる図５の遊技機設置構造体７３に取り付けるための外枠とも呼ばれる。可動枠４３は、遊技盤や制御装置など遊技に必要な部品を取り付ける前枠とも呼ばれる。可動枠４３は、左側に位置するヒンジ４６を中心とし、固定枠４２の前部で前側に開かれかつ後側に閉じられるように、片開き可能である。前扉４４および皿構造体４５は、個別に、左側に位置するヒンジ４７を中心とし、可動枠４３の前側に開かれかつ後側に閉じられるように、片開き可能である。可動枠４３の右側部には、施錠装置４８と複数のロック機構４９；５０；５１およびロック解除操作体５２が設けられる。閉じられた皿構造体４５で覆われる可動枠４３の前面には、発射機構５３が設けられる。前扉４４は、パネル枠とも呼ばれ、前後方向に貫通する窓５４、窓５４を裏側から覆う窓パネル５５を備える。窓パネル５５は、ガラスまたは合成樹脂など光を透過する性質の有る材料からなる板状である。皿構造体４５は受皿部５６、発射操作機構５７を備える。
【００１６】
そして、可動枠４３が閉じられて固定枠４２にロック機構４９で開閉不能に支持され、前扉４４および皿構造体４５が閉じられて可動枠４３にロック機構５０；５１で開閉不能に支持された状態において、遊技店の店員が図外のキープレート（鍵）を遊技機枠４１の前側から施錠装置４８の鍵穴に挿入し、当該キープレートを例えば右側に９０度回転操作すると、固定枠４２と可動枠４３とのロック機構４９による支持形態が解除される。この支持形態の解除後に、店員が可動枠４３を前側に引くことによって、可動枠４３はヒンジ４６を中心として前側に片開きされる。また、上記施錠装置４８の鍵穴に挿入されたキープレートが例えば左側に９０度回転操作されると、可動枠４３と前扉４４とのロック機構５０による支持形態が解除される。この支持形態の解除後に、店員が前扉４４を前側に引くことによって、前扉４４はヒンジ４７を中心として前側に片開きされる。このように、前扉４４が前側に開かれた状態において、図外の遊技盤が可動枠４３の前側から可動枠４３の内部に装着される。そして、前扉４４が閉じられて可動枠４３にロック機構５０で開閉不能に支持されることによって、遊技盤の前面における遊技領域が遊技機枠４１の窓パネル５５を通して見える形態となる。その後、店員がキープレートを施錠装置４８の鍵穴から前側に抜き取る。
【００１７】
図３を参照し、遊技機固定装置１が固定枠４２に取り付けられた構造について説明する。図３に示すように、固定枠４２は、上横片６１と下横片６２と左縦片６３と右縦片６４および幕板６５を備える。上横片６１の左端部と左縦片６３の上端部とが互いにブラケット６６で結合され、上横片６１の右端部と右縦片６４の上端部とが互いにブラケット６６で結合され、下横片６２の左端部と左縦片６３の下端部とが互いにブラケット６６で結合され、下横片６２の右端部と右縦片６４の下端部とが互いにブラケット６６で結合されることによって、固定枠４２が前後方向から見て方形な額縁状となる。つまり、遊技機固定装置１が取り付けられる遊技機枠４１を構成する固定枠４２は、上横片６１と下横片６２と左縦片６３と右縦片６４で囲まれた内部空間を備える。幕板６５の左端部が下横片６２の左端部の前部と左縦片６３の下端部の前部とに結合され、幕板６５の右端部が下横片６２の右端部の前部と右縦片６４の下端部の前部とに結合される。上横片６１の左端部と左縦片６３の上端部とが互いに結合された部分の外側にはヒンジ４６が取り付けられ、幕板６５の左端部と左縦片６３の下端部の前部とが互いに結合された部分の上側にはヒンジ４６が取り付けられる。２個の遊技機固定装置１は、固定枠４２の上横片６１と下横片６２と左縦片６３と右縦片６４で囲まれた内側から上横片６１の下面に左右に分かれて取り付けられる。別の２個の遊技機固定装置１は、固定枠４２の上横片６１と下横片６２と左縦片６３と右縦片６４で囲まれた内側から下横片６２の上面に左右に分かれて取り付けられる。
【００１８】
図４のａ図において、遊技機固定装置１が上横片６１の下面に取り付けられた内部構造について説明する。上横片６１には、突起逃部６８が、上横片６１の上下方向への貫通孔として設けられる。遊技機固定装置１における取付基盤１１の上面が上に向けられ、遊技機固定装置１の突起１６が上横片６１の下方から突起逃部６８に挿入され、取付基盤１１の上面が上横片６１の下面に重ね合わされ、木ねじまたは止ねじまたはねじ釘などのねじ部材６９が下方から取付基盤１１のねじ挿入孔１２を経由して上横片６１に締結されることによって、遊技機固定装置１が上横片６１に固定的に取り付けられる。このように遊技機固定装置１が上横片６１に取り付けられた場合、刺し具３の尖端部を収納している突起１６は、上横片６１の内部に存在し、上横片６１よりも外側に突出しない。つまり、突起１６の取付基盤１１から下方に突出する寸法は、上横片６１における上下方向の寸法である厚さＴ１よりも小さいので、取付具２が上横片６１に取り付けられた場合、突起１６が上横片６１の上面よりも外側に突出しない。
【００１９】
図４のｂ図において、遊技機固定装置１が下横片６２の上面に取り付けられた内部構造について説明する。下横片６２には、突起逃部７０が、下横片６２の上下方向への貫通孔として設けられる。遊技機固定装置１における取付基盤１１の下面が下に向けられ、遊技機固定装置１の突起１６が下横片６２の上方から突起逃部７０に挿入され、取付基盤１１の下面が下横片６２の上面に重ね合わされ、ねじ部材７１が上方から取付基盤１１のねじ挿入孔１２を経由して下横片６２に締結されることによって、遊技機固定装置１が下横片６２に固定的に取り付けられる。このように遊技機固定装置１が下横片６２に取り付けられた場合、刺し具３の尖端部を収納している突起１６は、下横片６２の内部に存在し、下横片６２よりも外側に突出しない。つまり、突起１６の取付基盤１１から下方に突出する寸法は、下横片６２における上下方向の寸法である厚さＴ２よりも小さいので、取付具２が下横片６２に取り付けられた場合、突起１６が下横片６２の下面よりも外側に突出しない。
【００２０】
図５を参照し、遊技機固定装置１を備えた固定枠４２が遊技機設置構造体７３に取り付けられる場合について説明する。図５のａ図に示すように、固定枠４２の下横片６２が遊技機設置構造体７３における下横木７４の上に搭載され、固定枠４２の上横片６１が遊技機設置構造体７３の上横木７５の下に配置される。つまり、固定枠４２が遊技機設置構造体７３の上横木７５と下横木７４の間の空間７６に挿入される。このように、遊技機固定装置１を備えた固定枠４２が遊技機設置構造体７３の上横木７５と下横木７４の間に挿入される場合、遊技機固定装置１の刺し具３の尖端部や突起１６が上横木７５の上面および下横木７４の下面から外側に突出していないので、遊技機固定装置１が邪魔にならないという利点がある。このように固定枠４２が上横木７５と下横木７４の間に挿入された場合、図５のｂ図に示すように、遊技機固定装置１の刺し具３の尖端部は、上横片６１および下横片６２よりも外側に突出していない。その状態において、作業者が、ハンマのような工具で、上側または下側における遊技機固定装置１の刺し具３の具頭部２２を矢印Ｘ１で示すように叩く。これによって、図５のｃ図に示すように、刺し具３の弾性体受部２３が弾性体５を具挿入孔１８の側に押し、弾性体５が弾性体受部２３と格納室１７の底部との間に圧縮され、刺し具３の具頭部２２が具係留部２７の周りにおける解除部材４の上面を矢印Ｘ１の方向に押し、解除部材４の係合片部２５が軸６を中心として取付基盤１１の側に回転し、刺し具３の尖端部が収容部１３から上横木７５または下横木７４の側に突出されて上横木７５または下横木７４に打ち込まれる。
【００２１】
図５のｃ図に示すように、刺し具３の尖端部が上横木７５または下横木７４に打ち込まれた状態において、作業者が、ハンマのような工具で、上側または下側における遊技機固定装置１における解除部材４の操作片部２６を矢印Ｘ２で示すように叩くことによって、刺し具３の尖端部が上横木７５または下横木７４から抜けて図５のｂ図に示す態様となり、遊技機固定装置１を備えた固定枠４２が遊技機設置構造体７３から取り外せるようになる。図１における解除部材４における係合片部２５と操作片部２６との成す挟角θは、鋭角でもよいが、最良の形態のように鈍角であれば、図５のｃ図に示すように、刺し具３が下横木７４または上横木７５に打ち込まれた場合において、操作片部２６が取付具２から内側に突出する寸法が小さくなるという利点がある。
【産業上の利用可能性】
【００２２】
図６は、異なる形態であって、図６のａ図は遊技機固定装置１を分解して示し、図６のｂ図は組み立てられた遊技機固定装置１を示し、図６のｃ図は遊技機固定装置１で固定枠４２を遊技機設置構造体７３に固定した構造を示す。図６のａ図に示すように、ロック部材８１とロック受孔８２および抜止具８３が最良の形態の遊技機固定装置１に追加された構造である。具体的には、ロック部材８１は、直線的な棒状のロック胴体８４を備え、ロック胴体８４の一端部には止受溝８５がロック胴体８４の外周面から内部に窪みかつロック胴体８４の外周面の全周にわたって形成され、ロック胴体８４の他端部にはロック頭部８６がロック胴体８４よりも横方向の外形の大きな形状に設けられる。ロック受孔８２は、一対の支持部１４に同軸状に個別に設けられる。図６のｂ図に示すように、遊技機固定装置１は、取付具２、刺し具３、解除部材４、弾性体５、軸６、固定具７などの部材から組み立てられる。この場合、図６のａ図におけるロック部材８１および抜止具８３は取付具２に組み合わせられていない。
【００２３】
そして、図６のｃ図に示すように、遊技機固定装置１を備えた固定枠４２が遊技機設置構造体７３に取り付けられる場合、作業者が、ハンマのような工具で、遊技機固定装置１の刺し具３の具頭部２２を叩き、刺し具３の弾性体受部２３が弾性体５を具挿入孔１８の側に押し、弾性体５が弾性体受部２３と格納室１７の底部との間に圧縮され、刺し具３の尖端部が収容部１３から上横木７５または下横木７４の側に突出されて上横木７５または下横木７４に打ち込まれる。その後、図６のａ図に示すロック部材８１におけるロック胴体８４が一方の支持部１４のロック受孔８２から、解除部材４の操作片部２６と取付基盤１１の間を経由して他方の支持部１４のロック受孔８２に挿入される。
【００２４】
さらに、図６のｃ図に示すように、抜止具８３が他方の支持部１４より外側に突出した止受溝８５に嵌め込まれることによって、ロック部材８１がロック頭部８６と止受溝８５とで取付具２から抜けないように取付具２に支持される。この図６のｃ図に示すように、ロック部材８１が取付具２に支持されることによって、刺し具３の尖端部と上横木７５または下横木７４との結合が確保できるという利点がある。つまり、図６のｃ図に示すように、刺し具３の尖端部が上横木７５または下横木７４に打ち込まれた後、ロック部材８１が取付具２に装着されることによって、矢印Ｘ２で示す外力が解除部材４の操作片部２６に刺し具３の尖端部を上横木７５または下横木７４から取り外す方向に作用しても、解除部材４の操作片部２６が軸６とロック部材８１とで取付基盤１１の側に移動しないように拘束され、刺し具３の尖端部と上横木７５または下横木７４との結合が確保されるという利点がある。また、抜止具８３が止受溝８５から取り外され、ロック部材８１が取付具２から取り外された後、作業者が、ハンマのような工具で、解除部材４の操作片部２６を矢印Ｘ２で示すように叩くことによって、刺し具３の尖端部が上横木７５または下横木７４から抜け、遊技機固定装置１を備えた固定枠４２が遊技機設置構造体７３から取り外せる。
【００２５】
固定具７や抜止具８３は、図１のａ図や図６のａ図に示す止輪以外に、図７のａ図に示す割りピン８７を使用してもよい。図７のａ図に示す割りピン８７は、棒状の部材が湾曲部８８で２つ折りされ、２本の足８９；９０が互いに合わされるように対向した構造である。そして、図７のｂ図に示すように、図１のａ図に示す軸胴体３１や図６のａ図に示すロック胴体８４に相当する胴体９１に、図１のａ図に示す止受溝３２や図６のａ図に示す止受溝８５に代えて、貫通孔９２を胴体９１の直径方向に形成し、割りピン８８が貫通孔９２に通された後、割りピン８８の２本の足８９；９０が外側に広がるように折り曲げられる。湾曲部８８は、貫通孔９２に入らない大きさである。
【００２６】
図１のａ図に示す軸胴体３１や図６のａ図に示すロック胴体８４に雄ねじを形成し、図１のａ図に示す他方の支持部１４に形成された軸受孔１５や図６のａ図に示す他方の支持部１４に形成されたロック受孔８２に代えて、他方の支持部１４に貫通孔の内面に雌ねじの形成されたねじ孔を設け、軸胴体３１の雄ねじが一方の支持部１４に形成された軸受孔１５から解除部材４の軸受孔２９を経由して他方の支持部１４に形成されたねじ孔に締結されたり、または、ロック胴体８４の雄ねじが一方の支持部１４に形成されたロック受孔８２から解除部材４と取付基盤１１との間の隙間を経由して他方の支持部１４に形成されたねじ孔に締結されたりすることによって、図１のａ図に示す固定具７や図６のａ図に示す抜止具８３を使用しなくてもよい。つまり、図１のａ図に示す軸６や図６のａ図に示すロック部材８１は、頭付きボルトを使用することも可能である。
【００２７】
遊技機固定装置１は、固定枠４２を遊技機設置構造体７３に固定する場合以外に、図８に示すように、トラック９３の荷台９４に搭載した場合の倒れ防止具としても使用可能である。図８において、遊技機固定装置１を備えた複数の遊技機枠４１がトラック９３の荷台９４に並べられて搭載され、帯板状の当番９５が複数の遊技機枠４１の上にわたり置かれた後、作業者がハンマのような工具で上側における遊技機固定装置１の刺し具３の具頭部２２を下方から叩くことによって、刺し具３の尖端部を遊技機枠４１から当番９５に打ち込むことによって、複数の遊技機枠４１を当番９５で倒れないように拘束することも可能である。図８において、仮想線Ｌ３は、荷台９４の上に設けられた幌構造体を示す。
【００２８】
遊技機固定装置１の取り付けられる遊技機枠４１として、パチンコ遊技機における固定枠４２を例示したが、スロットマシンにおける前側に開口した筐体であってもよい。
【図面の簡単な説明】
【００２９】
【図１】ａ図は遊技機固定装置の分解斜視図、ｂ図は遊技機固定装置の斜視図、ｃ図はｂ図のＢ−Ｂ線断面図（最良の形態）。
【図２】遊技機枠の斜視図（最良の形態）。
【図３】遊技機固定装置の取り付けられた固定枠の裏面図（最良の形態）。
【図４】ａ図は遊技機固定装置の上横片への取付構造の縦断面図、ｂ図は遊技機固定装置の下横片への取付構造の縦断面図（最良の形態）。
【図５】ａ図は可動枠を遊技機設置構造体に挿入した正面図、ｂ図は遊技機固定装置の刺し具が下横木および上横木に打ち込まれる前の時点における内部取付の縦断面図、ｃ図は遊技機固定装置の刺し具が下横木および上横木に打ち込まれた後の時点における内部取付の縦断面図（最良の形態）。
【図６】ａ図は遊技機固定装置の分解斜視図、ｂ図は遊技機固定装置の斜視図、ｃ図はｂ図のＢ−Ｂ線断面に相当する遊技機固定装置の刺し具が下横木および上横木に打ち込まれた後の時点における内部取付の縦断面図（異なる第１形態）。
【図７】ａ図は割りピンの斜視図、ｂ図は割りピンの取付構造の断面図（異なる第２形態）。
【図８】遊技機固定装置の異なる使用形態の側面図（異なる第３形態）。
【符号の説明】
【００３０】
１    遊技機固定装置
２    取付具
３    刺し具
４    解除部材
５    弾性体
６    軸
１１  取付基盤
１２  ねじ挿入孔
１３  収容部
１４  支持部
２１  具胴体
２２  具頭部
２３  弾性体受部
２５  係合片部
２６  操作片部
２７  具係留部
２８  屈曲部
４１  遊技機枠
４２  固定枠
６１  上横片
６２  下横片
６３  左縦片
６４  右縦片
７３  遊技機設置構造体
７４  下横木
７５  上横木
８１  ロック部材
【図１】
2007007183.tif 000003
【図２】
2007007183.tif 000004
【図３】
2007007183.tif 000005
【図４】
2007007183.tif 000006
【図５】
2007007183.tif 000007
【図６】
2007007183.tif 000008
【図７】
2007007183.tif 000009
【図８】
2007007183.tif 000010